(57)【要約】【課題】      リ−ル本体の後部から脚部側に向けて保護カバ−を装着すると共に、衝撃に対する強度の強化を図った魚釣用リ−ルを提供することである。【解決手段】  リ−ル本体１には上部に竿取付部１ｂを有する脚部１ｃが一体に形成され、リ−ル本体１の底部１ｄから後部１ｅを経て脚部１ｃ側に向けて保護カバ−５が装着されて保護カバ−５は底部５ａの両側から上方に延びた両底壁部５ｄ、５ｄと、駆動歯車３の回転軸の中心軸芯ｂを通る前後方向線ｃ上の上下周辺の両側から前方に延びた両壁部５ｅ、５ｅと、上端部５ｃからリ−ル本体１の底部１ｄに向けて両側から形成された両壁部５ｆ、５ｆとで形成されている。  両壁部５ｅ、５ｅの長さを長さＬ0 とすると、両壁部５ｆ、５ｆの端部５ｉの長さＬ1 は、長さＬ0 より長さＬ1の方が長く形成されている。【選択図】        図１
2009050202.tif 000002
【特許請求の範囲】
【請求項１】
上部に竿取付部を有する脚部を備えたリ−ル本体の後部から脚部側に向けて保護カバ−を装着した魚釣用リ−ルにおいて、リ−ル本体の後部から脚部側に向けて装着される断面略Ｕ字状の両壁部を有する保護カバ−の両壁部の形状を、ハンドル軸芯を通る前後方向線上の両壁部の長さに対して脚部側上方の両壁部の端部のリ−ル本体底部側に向けた長さを長くしたことを特徴とする魚釣用リ−ル。
【発明の詳細な説明】
【技術分野】
【０００１】
本発明は、リ−ル本体の後部から脚部側に向けて装着される保護カバ−の脚部側上方の両壁部の端部の長さを長くして衝撃に対する強度の強化を図った魚釣用リ−ルに関する。
【背景技術】
【０００２】
釣人が船釣りにおいて、魚釣用リ−ルを釣竿に装着した状態で釣り船の船縁等に設けられた筒状の竿立てに釣竿を挿入すると、スピニングリ−ルのように上部に竿取付部を有する脚部を備えた魚釣用リ−ルでは、脚部のリ−ル本体側の元部が釣竿の竿尻側寸法が短い場合等は、特に、竿立ての筒状縁部に当り衝撃を受けると共に、航海中の船は波の影響により、大きく搖れる。
そして、この波や風、或はエンジン等の影響により、更に元部に振動や衝撃等を受け易くなる。
特許文献１では上記衝撃を受ける脚部のリ−ル本体側の元部に銘板を設けているが、衝撃や振動を受けるとこの種の銘板では強度的保護が充分ではなく、破損して離脱してしまうことになる。
【特許文献１】実用新案登録第２５５０４１０号公報
【発明の開示】
【発明が解決しようとする課題】
【０００３】
解決しようとする問題点は、船釣りにおいて、釣竿に装着した上部に竿取付部を有する脚部を備えた魚釣用リ−ルでは、釣竿を竿立てに挿入する時や、航海中に船が波の影響により、大きく搖れると、脚部のリ−ル本体側の元部が竿立てに当たったり、振動や衝撃等を受けることになって破損することがある。
【０００４】
本発明の目的は前記欠点に鑑み、リ−ル本体の後部から脚部側に向けて装着される保護カバ−に、衝撃に対する強度の強化を図った魚釣用リ−ルを提供することである。
【課題を解決するための手段】
【０００５】
本発明の請求項１は、上部に竿取付部を有する脚部を備えたリ−ル本体の後部から脚部側に向けて保護カバ−を装着した魚釣用リ−ルにおいて、リ−ル本体の後部から脚部側に向けて装着される断面略Ｕ字状の両壁部を有する保護カバ−の両壁部の形状を、ハンドル軸芯を通る前後方向線上の両壁部の長さに対して脚部側上方の両壁部の端部のリ−ル本体底部側に向けた長さを長くしたことを要旨とするものである。
【発明の効果】
【０００６】
本発明の請求項１によれば、釣竿にリ−ル本体が装着されて釣り船の筒状の竿立てに挿入されると、保護カバ−が竿立ての上端の開口縁に衝撃的に当たることがあっても、保護カバ−の特に脚部側上方の両壁部部位の強度を確保することにより魚釣用リ−ルに損傷を与えることが防止される。
保護カバ−の脚部側上方の両壁部部位の端部が長く幅広く形成されていると、リ−ル本体の露出面積が少なくなり、外観的にコンパクトに見えて見栄えが良好となる。
また、必要な強度維持を図りながら、不必要な脚部の肉を薄肉化できるので、軽量化も可能となる。
【発明を実施するための最良の形態】
【０００７】
リ−ル本体１には上部に竿取付部１ｂを有する脚部１ｃが一体に形成されている。
リ−ル本体１の竿取付部１ｂと反対側の底部１ｄから釣糸繰り出し方向と反対側の後部１ｅを経て脚部１ｃ側に向けて保護カバ−５が装着されている。
保護カバ−５は図１及び図３のように側面から見て略逆く字状で、図４のように横断面が略Ｕ字状に形成されている。
保護カバ−５は底部５ａから後部５ｂを経て脚部１ｃ側の上端部５ｃに向かう外側部ａと、底部５ａの外側部ａの両側から上方に延びた両底壁部５ｄ、５ｄと、リ−ル本体１に内蔵される巻取り駆動機構を構成する駆動歯車３の回転軸の中心軸芯ｂを通る前後方向線ｃ上の上下周辺の外側部ａの両側から前方に延びた両壁部５ｅ、５ｅと、上端部５ｃからリ−ル本体１の底部１ｄに向けて外側部ａの両側から形成された両壁部５ｆ、５ｆとで形成されている。
上端部５ｃ側の両壁部５ｆ、５ｆは上端が尖った三角形状に形成されている。
駆動歯車３の回転軸に嵌合されたハンドル軸芯ｂを通る前後方向線ｃ上の保護カバ−５の両壁部５ｅ、５ｅの長さを長さＬ0 とすると、上端部５ｃの両壁部５ｆ、５ｆの前面の端部５ｉの上端部５ｃからリ−ル本体１の底部１ｄに向かう長さＬ1 は、長さＬ0 より長さＬ1
の方が長く形成されている。
【実施例１】
【０００８】
以下、図示の一実施例によって本発明を説明すると、魚釣用リ−ルを魚釣用スピニングリ−ルで述べると、図１はリ−ル本体の側面図、図２はリ−ル本体の背面図、図３は保護カバ−の断面側面図、図４は図３のＦ４−Ｆ４断面線の断面側面図、図５は断面で示した釣り船の竿立てに魚釣用リ−ルが装着された釣竿が挿入された側面図と一部拡大側面図である。
【０００９】
魚釣用リ−ルのリ−ル本体１の側部には蓋体２が取り付けられている。
リ−ル本体１の側部に突出した円形突出部１ａの内側に図示しない軸受が取り付けられ、蓋体２の側部に突出した円形突出部２ａの内側に図示しない軸受が取り付けられて両軸受で駆動歯車３の図示しない回転軸が軸承されている。
公知のように、駆動歯車３の回転軸の中心多角形孔には、ハンドル４に取り付けられた図示しないハンドル軸が左右交換自在に挿入嵌合されて取り付けられている。
リ−ル本体１には、上部に竿取付部１ｂを有する脚部１ｃが一体に形成されている。
リ−ル本体１の底部１ｄから後部１ｅを経て脚部１ｃ側に向けて保護カバ−５が装着されている。
【００１０】
保護カバ−５は図１及び図３のように側面から見て略逆く字状で、図４のように横断面が先端に平面状の両壁部を有する略Ｕ字状に形成されている。
保護カバ−５は底部５ａから後部５ｂを経て脚部１ｃ側の上端部５ｃに向かう外側部ａと、底部５ａの外側部ａの両側から上方に延びた両底壁部５ｄ、５ｄと、駆動歯車３の回転軸の中心軸芯ｂを通る前後方向線ｃ上の上下周辺の外側部ａの両側から前方に延びた両壁部５ｅ、５ｅと、上端部５ｃからリ−ル本体１の底部１ｄに向けて外側部ａの両側から形成された両壁部５ｆ、５ｆとで形成されている。
上端部５ｃの両壁部５ｆ、５ｆは上端が尖った三角形状に形成されている。
上端部５ｃの内側には軸部５ｇが前方に向けて一体に突出形成されている。
軸部５ｇはリ−ル本体１の脚部１ｃに穿設された透孔１ｆに挿入されて前方から図示しないビスで抜け止めされる。
底部５ａの後側には透孔５ｈが穿設されて、リ−ル本体１の後部１ｅの底にビス１０でビス止めされる。
【００１１】
駆動歯車３の回転軸に嵌合されたハンドル軸芯ｂを通る前後方向線ｃ上の保護カバ−５の両壁部５ｅ、５ｅの長さを長さＬ0 とすると、上端部５ｃの両壁部５ｆ、５ｆの前面の端部５ｉの上端部５ｃからリ−ル本体１の底部１ｄに向かう長さＬ1 は、長さＬ0 より長さＬ1
の方が長く形成されている。
また、Ｆ４−Ｆ４断面線位置の両壁部５ｆ、５ｆの長さＬ2 は、長さＬ0 より長く形成されている。
即ち、上端部５ｃの両壁部５ｆ、５ｆは、他の部位より長さ方向で肉厚（幅広）に形成されて外部からの衝撃強度が強化されている。
【００１２】
図５のように、魚釣用リ−ルのリ−ル本体１の竿取付部１ｂが釣竿６に装着されて釣り船７の船縁に取付け固定されている筒状の竿立て８に挿入されると、竿立て８の上部高さ位置に対して釣竿６の握り部６ａ（竿尻）の長さが短く、船底７ａに握り部６ａの端部が当接しない場合があっても、保護カバ−５が竿立て８の上端の開口縁に衝撃的に当たる。
しかし、保護カバ−５の特に上端部５ｃの幅広状に形成した両壁部５ｆ、５ｆの部位で強度的に保護されることにより、リ−ル本体１に損傷を与えることが防止される。
【００１３】
前記のように魚釣用リ−ルが構成されると、釣竿６にリ−ル本体１が装着されて釣り船７の竿立て８に挿入されると、保護カバ−５が竿立て８の上端の開口縁に衝撃的に当たることがあっても、保護カバ−５の特に上端部５ｃの両壁部５ｆ、５ｆの部位で強度的に保護することにより、リ−ルに損傷を与えることが防止される。
保護カバ−５の上端部５ｃの両壁部５ｆ、５ｆの部位が長く幅広く形成されていると、リ−ル本体１の露出面積が少なくなり、外観的にコンパクトに見える。
また、必要な強度維持を図りながら、不必要な脚部１ｃの肉を薄肉化できるので、軽量化も可能となる。
【産業上の利用可能性】
【００１４】
本発明は、前述した実施形態に限定されることなく、その要旨を逸脱しない範囲で種々変形実施できることは言うまでもない。
【図面の簡単な説明】
【００１５】
【図１】リ−ル本体の側面図である。
【図２】リ−ル本体の背面図である。
【図３】保護カバ−の断面側面図である。
【図４】図３のＦ４−Ｆ４断面線の断面側面図である。
【図５】断面で示した釣り船の竿立てに魚釣用リ−ルが装着された釣竿が挿入された側面図と一部拡大側面図である。
【符号の説明】
【００１６】
１  リ−ル本体
１ｂ  竿取付部
１ｃ  脚部
１ｄ  底部
１ｅ  後部
５  保護カバ−
５ｅ、５ｆ  両壁部
５ｉ  端部
ｂ  ハンドル軸芯
ｃ  前後方向線
【図１】
2009050202.tif 000003
【図２】
2009050202.tif 000004
【図３】
2009050202.tif 000005
【図４】
2009050202.tif 000006
【図５】
2009050202.tif 000007